(57)【要約】【課題】  ディスクの挿入口から入り込んだ外光が、光学検知部の受光素子で受光されて検知状態が誤動作する課題を解決することができるディスク装置を提供する。【解決手段】  光学検知部１５Ａに、ディスクＤの移動領域を挟んで発光素子１７と受光素子１９が対向している。受光素子１９の上に遮蔽カバー２１が設けられている。遮蔽カバー２１は、先部遮蔽部２２と、先部遮蔽部２２に形成された光通過穴２３と、先部遮蔽部２２の周縁部２２ａから下向きに徐々に広がるテーパ形状の側部遮蔽部２４とを有している。そのため、発光素子１７から発せられた光は受光素子１９で受光されるが、挿入口４からの外光が受光素子１９に直接に与えられにくくなる。【選択図】図２
2013171609.tif 000002
【特許請求の範囲】
【請求項１】
挿入口を有するケースと、ケースの内部に位置してディスクを保持するディスク保持部と、前記挿入口と前記ディスク保持部との間に位置してディスクを搬送する搬送部と、前記挿入口と前記ディスク保持部との間に設けられた光学検知部とが設けられたディスク装置において、
前記光学検知部には、ディスクの移動領域を挟んで一方に発光素子が他方に受光素子が互いに対向して配置され、前記移動領域と前記受光素子との間に遮蔽カバーが配置されており、
前記遮蔽カバーは、前記受光素子に対向する先部遮蔽部と、前記先部遮蔽部に形成されて前記先部遮蔽部の面積よりも小さい光通過穴と、前記光通過穴から側方へ離れた位置で前記先部遮蔽部から連続して前記受光素子に向けて延びる側部遮蔽部とが設けられており、前記側部遮蔽部は前記受光素子に向けて徐々に広がって形成されていることを特徴とする光学検知部を有するディスク装置。
【請求項２】
前記先部遮蔽部と前記光通過穴は円形で、前記側部遮蔽部がテーパ形状である請求項１記載の光学検知部を有するディスク装置。
【請求項３】
前記先部遮蔽部と前記側部遮蔽部は、表面処理された金属板をプレス加工したものであり、表面処理された面が側部遮蔽部の内面に現れている請求項１または２記載の光学検知部を有するディスク装置。
【発明の詳細な説明】
【技術分野】
【０００１】
本発明は、ケースに形成された挿入口からディスクが挿入されるディスク装置に係り、特にケースの内部に、ディスクを検知する光学検知部が設けられたディスク装置に関する。
【背景技術】
【０００２】
ケースに形成された挿入口からディスクがディスク面に沿う向きに挿入されるいわゆるスロットイン方式のディスク装置は、ケースの内部に光学検知部が設けられているものが多い。光学検知部によって挿入口からディスクが挿入されたことが検知されると、ケース内の搬送部が始動してディスクのケース内への搬入が開始される。あるいは、複数の光学検知部の検知出力の組み合わせによって、挿入口から挿入されたのが受け入れるべき正規のディスクであるか否かが判断される。
【０００３】
特許文献１に記載されているように、光学検知部は、挿入口に挿入されたディスクの移動領域を挟んで、一方に発光ダイオード（ＬＥＤ）で構成された発光素子が配置され、他方にフォトトランジスタで構成された受光素子が配置されている。
【０００４】
ディスクが挿入されていないときは、発光素子から発せられる光が受光素子で受光され、ディスクが、発光素子と受光素子との間を通過していると、受光素子の受光が遮断される。
【０００５】
前記光学検知部に設けられた制御部では、受光素子が所定のしきい値以上の光量を検知しているときは、ディスクを検知していない状態であると判断し、受光素子の受光光量がしきい値未満になると、ディスクを検知したと判断する。
【先行技術文献】
【特許文献】
【０００６】
【特許文献１】特開２００７−２２６９０２号公報
【発明の概要】
【発明が解決しようとする課題】
【０００７】
ディスク装置の挿入口には、薄いゴムやフェルト材などで形成された遮蔽膜が設けられ、挿入口からディスクが挿入されると、ディスクが前記遮蔽膜を変形させながらケースの内部に送り込まれるようになっている。
【０００８】
挿入口は、前記遮蔽膜で塞がれているが、挿入口に強い光が直接に照射されると、光が遮蔽膜からケースの内部に洩れ入って、前記受光素子に強い光が与えられることがある。例えば、車室内においてディスク装置が挿入口を斜め上に向けて設置されており、直射日光が車室内に入り挿入口に直接に照射されると、上記現象が発生しやすい。
【０００９】
ディスクが挿入口から挿入され始めた瞬間に、強い光が挿入口に照射され、この光が直接に受光素子に与えられ、またはディスクの下面で反射されて受光素子に与えられると、ディスクが受光素子の真上を通過しているにもかかわらず、受光素子の受光検知量がしきい値を超えてしまう。この場合、ディスクが挿入口から挿入されているのにもかかわらず、制御部でその判断ができず、搬送機構が始動せずに、ディスクがケース内に向けて搬送されない誤動作状態となる。
【００１０】
また、搬送機構によってディスクがケースの内部に向けて搬入されている途中で、複数の光学検知部のいずれかに強い外光が与えられて受光検知量がしきい値を超えると、その受光素子の真上に正規のディスクが通過しているのにもかかわらず、複数の光学検知部からの検知信号の組み合わせが予め決められた順ではなくなり、正規のディスクが正常に搬送されていないと判断されることになる。この場合は、正規のディスクの搬入が停止されたり、ディスクが強制的に搬出されることになる。
【００１１】
本発明は上記従来の課題を解決するものであり、ケースの内部に入り込んだ光が、光学検知部の受光素子へ直接に影響を与える確率を低減させることができる光学検知部を有するディスク装置を提供することを目的としている。
【課題を解決するための手段】
【００１２】
本発明は、挿入口を有するケースと、ケースの内部に位置してディスクを保持するディスク保持部と、前記挿入口と前記ディスク保持部との間に位置してディスクを搬送する搬送部と、前記挿入口と前記ディスク保持部との間に設けられた光学検知部とが設けられたディスク装置において、
前記光学検知部には、ディスクの移動領域を挟んで一方に発光素子が他方に受光素子が互いに対向して配置され、前記移動領域と前記受光素子との間に遮蔽カバーが配置されており、
前記遮蔽カバーは、前記受光素子に対向する先部遮蔽部と、前記先部遮蔽部に形成されて前記先部遮蔽部の面積よりも小さい光通過穴と、前記光通過穴から側方へ離れた位置で前記先部遮蔽部から連続して前記受光素子に向けて延びる側部遮蔽部とが設けられており、前記側部遮蔽部は前記受光素子に向けて徐々に広がって形成されていることを特徴とするものである。
【００１３】
本発明は、前記先部遮蔽部と前記光通過穴は円形で、前記側部遮蔽部がテーパ形状である。
【００１４】
本発明は、前記先部遮蔽部と前記側部遮蔽部は、表面処理された金属板をプレス加工したものであり、表面処理された面が側部遮蔽部の内面に現れていることが好ましい。
【発明の効果】
【００１５】
本発明は、光学検知部の受光素子に遮蔽カバーが対向している。遮蔽カバーの先部対向部に光通過穴が開口しており、光通過穴の上にディスクが存在しないときは、発光素子から発せられる光が光通過穴を通過して受光素子で受光される。
【００１６】
遮蔽カバーは、先部遮蔽部の面積に対して光通過穴の開口径が小さく、側部遮蔽部の内面が光通過穴から離れた位置にある。挿入口からケースに入った光が光通過穴から斜めに入り込むことがあっても、側部遮蔽部の内面が光通過穴から離れた位置にあるため、側部遮蔽部の内面で反射された光が受光素子に入りにくい。また、側部遮蔽部が受光素子に向けて広がるテーパ形状であるため、光通過穴から入り込んだ光が側部遮蔽部の内面で反射されたときに受光素子に向かいにくくなっている。
【００１７】
さらに、側部遮蔽部の内面は金属板の表面処理面であるため、この内面による光の反射率が低くなる。
【００１８】
以上から、挿入口から入り込んだ光、さらにはディスクに反射された光が遮蔽カバーに与えられても、受光素子で直接に受光されにくくなる。
【図面の簡単な説明】
【００１９】
【図１】本発明の実施の形態のディスク装置を示す平面図、
【図２】図１に示すディスク装置をＩＩ−ＩＩ線で切断した断面図、
【図３】遮蔽カバーがプレス加工された金属板の斜視図、
【図４】受光素子と遮蔽カバーの形状を示す拡大断面図、
【発明を実施するための形態】
【００２０】
図１と図２に示すディスク装置１は、金属製の筐体２と、筐体２の前方に設置された合成樹脂製のパネル３とを有し、パネル３の前面にスリット形状の挿入口４が形成されている。筐体２とパネル３とで、ディスク装置１のケースが構成されている。
【００２１】
ディスク装置１は車載用であり、筐体２が自動車の車室内のインストルメントパネルまたはダッシュボードに埋設され、パネル３がその表面に現れる。図２に示すディスク装置の設置例では、車室内において筐体２が水平方向Ｈに対して斜めに傾いて設置されており、パネル３の前面ならびに挿入口４が、車室内の天井方向へ向けて斜めに上向きとなっている。
【００２２】
図１に示すように、筐体２の内部の中央部にディスク保持部５が設けられている。ディスク保持部５は、回転軸６と、この回転軸６に固定されたターンテーブル７と、前記回転軸６を回転させるスピンドルモータと、ディスクＤの中心穴Ｄａを、ターンテーブル７に保持させるクランプ部材とを有している。
【００２３】
図１と図２に示すように、パネル３の挿入口４とディスク保持部５との間に搬送部１０が設けられている。搬送部１０は、ローラ軸１１とこのローラ軸１１の外周に設けられた搬送ローラ１２，１２とを有している。筐体２の天井板２ａの下には合成樹脂製の摺動部材１３が固定されており、摺動部材１３の下面が摺動案内面１３ａとなっている。ディスク装置１がディスクＤの受け入れを待機しているときは、図２に示すように、搬送ローラ１２，１２がばねの力で摺動部材１３に向けて弾圧されている。
【００２４】
図１に示すように、筐体２の内部では、挿入口４と搬送部１０との間の複数箇所（３箇所）に、光学検知部１５Ａ，１５Ｂ，１５Ｃが設けられている。図２と図４に光学検知部１５Ａの構造が示されている。他の光学検知部１５Ｂ，１５Ｃの構造は、光学検知部１５Ａと実質的に同じである。
【００２５】
図２に示すように、筐体２の天井板２ａの下に上部センサ基板１６が固定されており、上部センサ基板１６に光学検知部１５Ａを構成する発光素子１７ならびに他の２箇所の光学検知部１５Ｂ，１５Ｃを構成する発光素子１７，１７が実装されている。前記摺動部材１３には、３箇所のぞれぞれの発光素子１７から発せられる光を透過させる透過穴１３ｂが開口している。
【００２６】
図２に示すように、筐体２の底板２ｂの上に下部センサ基板１８が固定されており、下部センサ基板１８上に光学検知部１５Ａを構成する受光素子１９ならびに他の２箇所の光学検知部１５Ｂ，１５Ｃを構成する発光素子１９，１９が実装されている。
【００２７】
光学検知部１５Ａ，１５Ｂ，１５Ｃのそれぞれでは、発光素子１７と受光素子１９が、筐体２の天井板２ａならびに底板２ｂと直交する向きで一対一で対向している。発光素子１７は発光ダイオードなどで構成されており、受光素子１９はフォトトランジスタまたはフォトダイオードなどで構成されている。
【００２８】
図２に示すように、筐体２の内部には、底板２ｂの上方に距離を空けて遮蔽金属板２０が配置されている。遮蔽金属板２０には、３箇所の光学検知部１５Ａ，１５Ｂ，１５Ｃのそれぞれに対応する位置に、遮蔽カバー２１が一体に形成されている。図２と図４に示すように、それぞれの遮蔽カバー２１は、受光素子１９の上方に位置して天井板２ａに向けて突出した形状に成型されている。
【００２９】
遮蔽金属板２０は表面処理された圧延鋼板をプレス加工して形成される。遮蔽カバー２１は、プレス加工の際に上方に向けて絞り成型されたものであり、遮蔽カバー２１の内面に表面処理された面が現れている。遮蔽金属板２０の表面処理は、メッキ加工または有機材料や無機材料をコーティングしたものであり、圧延鋼板の表面よりも反射率が小さくなるように、例えば黒色や灰色または緑色などの色相を呈している。または、前記表面処理が、サンドブラスト法などにより、圧延鋼板の表面を細かな凹凸に加工したものであってもよい。
【００３０】
図４に示すように、遮蔽カバー２１は、受光素子１９の上方に対向する先部遮蔽部２２を有している。先部遮蔽部２２は、下部センサ基板１８と垂直で且つ受光素子１９の中心を通る中心線Ｏに対して垂直な平面部を有しており、この平面部に光通過穴２３が開口している。先部遮蔽部２２の面積Ａ０に対して光通過穴２３の開口面積Ａ１が十分に小さく、好ましくは、先部遮蔽部２２の直径に対して光通過穴２３の直径が１／２未満である。
【００３１】
先部遮蔽部２２の周縁部２２ａは、光通過穴２３の周縁部よりも半径方向に離れた位置にある。遮蔽カバー２１には、前記周縁部２２ａを起点として遮蔽金属板２０に向けて延びるテーパ面形状の側部遮蔽部２４が一体に形成されている。側部遮蔽部２４は、前記周縁部２２ａから裾部２４ａに向けて半径が徐々に大きくなるように形成されている。
【００３２】
前記側部遮蔽部２４の上端部である周縁部２２ａの直径は、受光素子１９の上向きの受光可能領域の幅寸法Ｂよりも大きくなっており、周縁部２２ａの直径は、幅寸法Ｂの２倍以上である。
【００３３】
ただし、前記先部遮蔽部２２が平面部を有しない曲面形状であり、あるいは変形部と曲面部とを有するものであって、周縁部２２ａにおいて、先部遮蔽部２２から側部遮蔽部２４が曲面として連続していてもよい。
また、光通過穴２３が透明な合成樹脂材料などで形成されていてもよい。
【００３４】
ディスク装置１には、制御部が設けられ、受光素子１９からの検知信号が制御部に与えられる。それぞれの発光素子１７は、連続発光しており、または間欠的に発光している。
【００３５】
光学検知部１５Ａ，１５Ｂ，１５Ｃでは、発光素子１７と受光素子１９が、ディスクＤの移動領域を挟んで対向しているため、ディスクＤが光通過穴２３の上に至っていないときは、発光素子１７から発せられる検知光が、光通過穴２３を通過して受光素子１９に与えられ、受光素子１７による光の受光光量が所定値を超え、受光素子１９から得られる検知信号がしきい値を超えている。
【００３６】
制御部では、受光素子１９の検知信号がしきい値を超えていると、その光学検知部がディスクを検知していないと判断し、検知信号がしきい値未満になると、ディスクを検知していると判断する。
【００３７】
制御部では、挿入口４に最も近い位置にある光学検知部１５Ａでディスクが検知されたと判定したときに、搬送モータを始動する指令が出され、搬送部１０のローラ軸１１が搬送方向へ始動し、ディスクＤが筐体２の内部に向けて搬入され始める。その後、制御部が光学検知部１５Ａ，１５Ｂ，１５Ｃの検知信号を監視し、光学検知部１５Ａ，１５Ｂ，１５Ｃが予め決められた順番でディスクを検知したら、直径が１２ｃｍの正規のディスクＤが筐体２の内部に正常に搬送されていると判断する。
【００３８】
ディスクＤの中心穴Ｄａがターンテーブル７に保持された装填状態では、ディスクＤが全ての光学検知部１５Ａ，１５Ｂ，１５Ｃの上に位置し、全ての光学検知部１５Ａ，１５Ｂ，１５Ｃがディスクを検知した状態となる。
【００３９】
搬送部１０によってディスクＤが挿入口４から外部へ搬出されるときは、光学検知部１５Ｂがディスクを検知しない状態に切り換わったら、搬送モータを停止し、ローラ軸１１の回転を止めてディスクの搬出動作を完了する。このとき、ディスクＤはその多くの部分が挿入口４から外部へ突出し、端部が搬送ローラ１２と摺動部材１３とで挟持された状態となる。
【００４０】
図１と図２は、ディスクＤが挿入口４から筐体２の内部に挿入され始めた瞬間を示している。車室内に西日などの直射日光が入り込むと、直射日光の強い外光Ｌ０がディスク装置１の挿入口４とディスクＤの下面との間から筐体２の内部に入り込み、ディスクＤの下面で反射されて、遮蔽カバー２１に直接に与えられやすい。特に、図２に示すように、ディスク装置１の設置姿勢として、挿入口４が斜め上方向に向けられていると、直射日光による強い外光Ｌ０が挿入口４に与えられやすくなる。
【００４１】
図４には、挿入口４の方向から遮蔽カバー２１に向けて照射されて、光通過穴２３の内部に斜めに入り込む外光のうちの任意の光軸Ｌ１が示されている。遮蔽カバー２１は、側部遮蔽部２４の内面２４ｂが光通過穴２３の縁部から奥側へ離れた位置にあり、前記内面２４ｂが底板２ｂに向けて徐々に広がるテーパ面となっている。そのため、図４に示す光軸Ｌ１は、内面２４ｂに当たることがなく、光軸Ｌ１は内面２４ｂで反射されず、受光素子１９に向かうことがない。
【００４２】
図４には、底板２ｂに対して最も浅い角度（中心線Ｏに対して最も大きい角度）で光通過穴２３を通過する光軸Ｌ２も示されている。側部遮蔽部２４の内面２４ｂの上端である周縁部２２ａが、光通過穴２３の縁部および受光素子１９の受光可能領域から離れた位置にあり、内面２４ｂがテーパ面であるため、前記光軸Ｌ２が入射角θで内面２４ｂに入射して反射角θで反射されたとしても、光軸Ｌ２は受光素子１９に届かない。
【００４３】
すなわち、先部遮蔽部２２の周縁部２２ａの位置、および内面２４ｂのテーパ面の角度、さらに受光素子１９と光通過穴２３との距離などは、光通過穴２３を最も浅い角度で通過した光軸Ｌ２の反射光が受光素子１９の受光可能領域に至らないように決められている。
【００４４】
遮蔽カバー２１の形状が上記のように決められているため、下部センサ基板１８から垂直に延びる中心線Ｏと平行な光、あるいは中心線Ｏに対してわずかに傾いた光以外は、受光素子１９に届きづらくなる。
【００４５】
また、遮蔽カバー２１の側部遮蔽部２４の内面２４ｂは、遮蔽金属板２０の表面処理された面が現れているため、内面２４ｂの反射率そのものが低くなっている。これによっても、内面２４ｂによって外光が受光素子１９に向けて反射される確率を低くできる。
【００４６】
以上から、光学検知部１５Ａ，１５Ｂ，１５Ｃでは、発光素子１７から発せられる光が受光素子１９で受光されるが、挿入口４の方向から斜めに入り込んできた外光は、受光素子１９に直接に与えられる確率が低くなる。
【００４７】
よって、挿入口４から挿入されたディスクＤが光学検知部１５Ａに至ったときに、外光が受光素子１９で受光されて、ディスクＤの挿入開始を検出できないという不都合を防止できる。また、ディスクＤが筐体２の内部に向けて搬送されているときに、光学検知部１５Ａ，１５Ｂ，１５Ｃのいずれかで受光素子１９が外光を検知して受光状態となり、正規のディスクＤが正常に搬入されているのにもかかわらず、異常な搬入状態であると判断されるのを防止できるようになる。
【符号の説明】
【００４８】
１  ディスク装置
２  筐体
３  パネル
４  挿入口
５  ディスク保持部
７  ターンテーブル
１０  搬送部
１２  搬送ローラ
１３  摺動部材
１５Ａ，１５Ｂ，１５Ｃ  光学検知部
１７  発光素子
１９  受光素子
２０  遮蔽金属板
２１  遮蔽カバー
２２  先部遮蔽部
２２ａ  周縁部
２３  光通過穴
２４  側部遮蔽部
【図１】
2013171609.tif 000003
【図２】
2013171609.tif 000004
【図３】
2013171609.tif 000005
【図４】
2013171609.tif 000006